(57)【要約】【課題】取り扱いが容易で、かつ簡便な操作で身体の各部位の整体治療、疲労回復および筋力増強に優れた効果を奏する健康器具を安価に提供する。【解決手段】健康器具１は、平面形状が略矩形状で側面形状が略Ｌ字状の枠体２の両端部に、身体の所定部位に当接させるためのクッション材４で被覆された当接部２２及び２３を有している。また、当接部２２及び２３の間にさらにスライド可能で振動手段を備えた当接部２４が設けられている。【選択図】図１
0003140764.tif 000002
【実用新案登録請求の範囲】
【請求項１】
平面形状が略矩形状で側面形状が略Ｌ字状の枠体の両端部に身体の所定部位に当接させるための第１の当接部及び第２の当接部をそれぞれ設けたことを特徴とする、
健康器具。
【請求項２】
前記枠体は、両側部に伸縮機構を備え伸縮自在に構成したことを特徴とする、
請求項１に記載の健康器具。
【請求項３】
前記枠体は、管状構造を有することを特徴とする、
請求項１又は２に記載の健康器具。
【請求項４】
前記第１及び第２の当接部の間に前記第１及び第２の当接部に平行な略棒状又は略直管状の第３の当接部を設けたことを特徴とする、
請求項１乃至３のいずれか１項に記載の健康器具。
【請求項５】
前記第３の当接部は、前記枠体の両側部上をスライドするスライド機構を備え前記第１及び第２の当接部の間で位地可変に構成したことを特徴とする、
請求項４に記載の健康器具。
【請求項６】
前記第３の当接部は、振動手段を備えたことを特徴とする、
請求項４又は５に記載の健康器具。
【請求項７】
前記当接部は、クッション材で被覆されたことを特徴とする、
請求項１乃至５のいずれか１項に記載の健康器具。
【考案の詳細な説明】
【技術分野】
【０００１】
本考案は健康器具に関する。詳しくは、取り扱いが容易で、かつ簡便な操作で身体の各部位の整体治療、疲労回復および筋力増強に優れた効果を奏する健康器具に関する。
【背景技術】
【０００２】
従来、整体治療、疲労回復、筋力増強等の目的で、種々の健康器具が提案され市販されている。
【０００３】
しかし、頭部から首部、肩部、胸部、腹部、腰部、骨盤、脚部までの身体の各部位の整体治療、疲労回復および筋力増強の全てを一つで賄うことのできる健康器具はなく、そのため高価な健康器具を複数所有しなければならず経済的な負担が大きかった。また、これらは重厚であったり、使用方法が複雑であったり、腕力や握力等の体力を要するものであったりして、特に老人等が手軽に利用することが困難なものが多かった。
【考案の開示】
【考案が解決しようとする課題】
【０００４】
本考案は、斯かる実情に鑑みなされたものであり、その目的とするところは、身体の各部位の整体治療、疲労回復および筋力増強の全てを一つで賄うことのできる健康器具を提供することにある。
【０００５】
また、本考案の他の目的は、老若男女を問わず簡便に使用でき、かつ安価に提供することのできる健康器具を提供することにある。
【課題を解決するための手段】
【０００６】
上記目的は、以下の本考案にかかる健康器具により達成される。
【０００７】
（１）すなわち、本考案は、平面形状が略矩形状で側面形状が略Ｌ字状の枠体の両端部に身体の所定部位に当接させるための第１の当接部及び第２の当接部をそれぞれ設けたことを特徴とする、健康器具である。
【０００８】
（２）本考案はまた、前記枠体は、両側部に伸縮機構を備え伸縮自在に構成したことを特徴とする、（１）に記載の健康器具である。
【０００９】
（３）本考案はまた、前記枠体は、管状構造を有することを特徴とする、（１）又は（２）に記載の健康器具である。
【００１０】
（４）本考案はまた、前記第１及び第２の当接部の間に前記第１及び第２の当接部に平行な略棒状又は略直管状の第３の当接部を設けたことを特徴とする、（１）乃至（３）のいずれか１項に記載の健康器具である。
【００１１】
（５）本考案はまた、前記第３の当接部は、前記枠体の両側部上をスライドするスライド機構を備え前記第１及び第２の当接部の間で位地可変に構成したことを特徴とする、（４）に記載の健康器具である。
【００１２】
（６）本考案はまた、前記第３の当接部は、振動手段を備えたことを特徴とする、（４）又は（５）に記載の健康器具である。
【００１３】
（７）本考案はまた、前記当接部は、クッション材で被覆されたことを特徴とする、（１）乃至（５）のいずれか１項に記載の健康器具である。
【考案の効果】
【００１４】
本考案の健康器具によれば、平面形状が略矩形状で側面形状が略Ｌ字状の枠体の両端部に身体の所定部位に当接させるための第１の当接部及び第２の当接部をそれぞれ設けたので、枠体のＬ字状短辺側の端部当接部を身体の所望の部位に当接し、Ｌ字状長辺側の側部又は端部を把持して所定の動作を加えることにより、腕力や握力のない老人や女性でも、動力や他人の力を借りることなく、てこの原理により僅かな加力で身体の所定部位に強い押力を与えることができる。これにより、取り扱いが容易で、かつ簡便な操作で頭部から首部、肩部、胸部、腹部、腰部、骨盤、脚部までの身体の各部位の整体治療、疲労回復および筋力増強に優れた効果を奏する健康器具を安価に提供することができるものである。
【００１５】
また、本考案の健康器具によれば、前記枠体が両側部に伸縮機構を備え伸縮自在に構成したので、使用者の体格等に合わせて健康器具のサイズを容易に調整することができる。
【００１６】
また、本考案の健康器具によれば、前記枠体が管状構造を有するので、軽量でかつ優れた強度を有する健康器具を提供することができる。
【００１７】
また、本考案の健康器具によれば、前記第１及び第２の当接部の間に前記第１及び第２の当接部に平行な略棒状又は略直管状の第３の当接部を設けたので、同じ動作をしながら同時に身体の複数個所に加力して、マッサージ等を行うことができる。
【００１８】
また、本考案の健康器具によれば、前記第３の当接部が前記枠体の両側部上をスライドするスライド機構を備え前記第１及び第２の当接部の間で位置可変に構成したので、第３の当接部による身体への作用部位を容易に調整することができる。
【００１９】
また、本考案の健康器具によれば、前記第３の当接部が振動手段を備えたので、前記第３の当接部によるマッサージ効果を増強することができる。
【００２０】
また、本考案の健康器具によれば、前記当接部がクッション材で被覆されているので、各当接部による身体の作用部位に痛みや損傷を与えないようにすることができる。
【考案を実施するための最良の形態】
【００２１】
以下、本考案の実施の形態を添付図面を参照して説明する。
【００２２】
図１は、本考案の実施形態にかかる健康器具１の構成を示す図であり、（ａ）は平面図、（ｂ）は正面図、（ｃ）は右側面図である。
【００２３】
図１に示すように、健康器具１は、平面形状が略矩形状で側面形状が略Ｌ字状の枠体２から構成されている。枠体２は、平面形状が略Ｕ字状、側面形状が略Ｌ字状で断面形状が略円形の管状体２０１と、管状体２０１の内径よりやや小さな外径を有し、平面形状が略Ｕ字状、側面形状がＩ字状で断面形状が略円形の管状体２０２とを組み合わせて構成されており、繋合部２１において管状体２０１及び２０２の両端部を嵌合させて、管状体２０１の管壁を貫通せしめたネジ３で管状体２０２の管壁を係止することにより、枠体２の長さを長手方向に伸縮自在に調整可能な構造となっている。
【００２４】
但し、枠体２は、管状体２０１と、管状体２０２の外径よりやや大きな内径を有する管状体２０２とを組み合わせて構成してもよい。また、本考案の健康器具における枠体の伸縮機構は上記実施形態に限定されるものではなく、例えば、管状体２０２の管壁に所定間隔で設けられた穿孔と管状体２０１の管壁をネジ等で貫通せしめて固定する方法、管状体２０２の外周と管状体２０１の内周にねじ山とねじ溝を設け両者を螺合させる方法、管状体２０１と管状体２０２を嵌合させずに並列させてクランプ等の繋合手段により繋合する方法、上部支柱部と下部支柱部をガスダンパーまたはオイルダンパーを介して繋合する方法等、周知の伸縮機構を用いることができる。なお、本考案にかかる健康器具においては、枠体は必ずしも伸縮機構を備えている必要はなく、例えば枠体を一体構造として伸縮機構を省略しても構わない。
【００２５】
さらに、枠体２に用いられる管状体は、断面形状が略円形（丸管）のものに限定されるものではなく、例えば断面形状が略三角形、略正方形、略長方形、略楕円形、略凹形、略凸形等のものを利用してもよい。さらに、枠体２は必ずしも管状体で形成される必要はなく、例えば棒状体等の非中空構造であってもよい。
【００２６】
また、枠体２を構成する素材は、軽量でかつ十分な強度を有し、枠体２に使用者の体重の一部又は全部が印加されても変形を生じないものであれば特に限定されるものではなく、例えば、ポリエチレン、ポリプロピレン、ポリエステル、硬質塩化ビニル等の合成樹脂、ガラス繊維強化樹脂（ＧＦＲＰ）、炭素繊維強化樹脂（ＣＦＲＰ）、ボロン繊維強化樹脂（ＢＦＲＰ）、アラミド繊維強化樹脂（ＡＦＲＰ）、ケブラー繊維強化樹脂（ＫＦＲＰ）等の繊維強化樹脂、ステンレス、アルミニウム、クロモリ鋼、チタン合金、マグネシウム合金等の金属等を用いることができる。
【００２７】
一方、図１において、健康器具１の枠体２の両端部には、健康器具１を使用者の身体の所定部位に当接させるための当接部２２及び２３が設けられている。当接部２２および２３は、使用者の身体に当接した際に当接部位に痛みを生じさせないようにクッション材４で被覆されている。クッション材の具体例としては、ウレタンフォーム、ポリエチレンフォーム、メラミンフォーム等の発泡体、天然ゴム、ポリブタジエン系、ブタジエン・アクリロニトリル系、クロロプレン系等の合成ゴム、ウレタン樹脂等の熱可塑性エラストマー等の弾性体、柔軟性を有する合成樹脂等からなる袋体にウレタン樹脂等のジェルを充填したもの等が挙げられる。但し、本考案にかかる健康器具では、枠体の当接部は必ずしもクッション材で被覆されている必要はなく、身体の所定部位に枠体を直接当接させる構成としても構わない。
【００２８】
さらに、健康器具１の枠体２の当接部２２と２３の間には、当接部２２及び２３に平行して当接部２４が設けられている。当接部２４は、当接部２２及び２３と同様の素材、断面形状、構造からなる略直管状の管状体（又は棒状体）２０３からなり、当接部２２及び２３と同様に外周にクッション材が被覆されていてもよい。
【００２９】
当接部２４の管状体２０３の両端部には管状体２０３に直交する方向に管状の接合部２０４が設けられており、当接部２４は、接合部２０４の内管部に管状体２０１又は２０２を挿通せしめた状態で枠体２と接合されており、当接部２４を接合部２０４を介して枠体２の長手方向にスライドさせることができるように構成されている。但し、本考案の健康器具における当接部２４のスライド機構はこれに限定されるものではなく、例えば、当接部２４を管状体２０１又は２０２に設けたレール上又はガイドに沿ってスライドさせる等、周知のスライド機構を利用することができる。また、当接部２４は必ずしもスライド機構を備えている必要はなく、枠体２の管状体２０１又は２０２に管状体２０３が直接結合された構造であってもよい。
【００３０】
また、当接部２４の内部には振動手段（図示せず）が配設されており、振動手段により当接部２４の全体が振動するように構成されている。当接部２４に搭載される振動手段としては、例えば、モータのシャフトに分銅を偏心して取り付けた振動モータ等を利用することができる。但し、当接部２４は必ずしも振動手段を搭載している必要はない。さらには、本考案にかかる健康器具は、必ずしも当接部２４を有している必要はなく、当接部２４自体が省略された構成であっても構わない。
【００３１】
次に、本実施形態にかかる健康器具１の使用方法について説明する。図２〜７は、健康器具１の使用方法を説明するための概念図である。
【００３２】
まず、図２に示すように、使用者は仰臥位の姿勢を採り、健康器具１の当接部２３を足先にあてがい、当接部２２を両手で把持してＸ方向に加力する。これにより、使用者の身体に腰部を中心としてＸ及びＹ方向への引張力が働くので、主として背骨、骨盤、大腿骨等の歪みの緩和等の整体治療に利用することができる。
【００３３】
また、図３に示すように、同じく仰臥位の姿勢で、健康器具１の当接部２２を顎下にあてがい、健康器具１の両側部を把持してＸ方向に押圧する。これにより、顎下に力を加えることができるので、主として首部、顎部等の歪みの緩和等の整体治療に利用することができる。
【００３４】
次に、図４に示すように、同じく仰臥位の姿勢で、健康器具１の当接部２２を脹脛部から膝裏部にあてがい、当接部２３を両手で把持してＸＹ方向に揺動運動を加える。これにより、脹脛部、膝裏部等のマッサージに利用することができる。この際、同時に健康器具１の当接部２４を大腿前部にあてがうことにより、大腿前部のマッサージも同時に行うことができ、さらに、当接部２４の振動手段を稼働させることにより、大腿前部へのマッサージ効果を増強することができる。
【００３５】
同様に、図５に示すように、仰臥位から片膝を立てた姿勢で、健康器具１の当接部２２を腰部から骨盤、大腿裏部にあてがい、両側部を把持してＸＹ方向に揺動させることにより、腰部、骨盤、大腿裏部等をマッサージすることができる。この際、同時に健康器具１の当接部２４を腹部にあてがうことにより、腹部のマッサージも同時に行うことができ、さらに、当接部２４の振動手段を稼働させることにより、腹部へのマッサージ効果を増強することができる。
【００３６】
さらに、図６に示すように、仰臥位の姿勢で、健康器具１の当接部２２を後頭部から首部、肩部にあてがい、両側部を把持してＸＹ方向に揺動させることにより、後頭部、首部、肩部等をマッサージすることができる。この際、同時に健康器具１の当接部２４を胸部にあてがうことにより、胸部のマッサージも同時に行うことができ、さらに、当接部２４の振動手段を稼働させることにより、胸部へのマッサージ効果を増強することができる。
【００３７】
一方、図７に示すように、仰臥位の姿勢で、健康器具１の当接部２２を後頭部にあてがい、両側部を把持して上半身を支持しながら、両脚を持ち上げてＸＹ方向に円弧運動させることにより、腹部、脇腹部、脚部等の筋肉強化を行うことができる。
【００３８】
同様に、図８に示すように、仰臥位の姿勢から健康器具１の当接部２２を両手で把持して上半身を上下運動させることにより、握力、腕力、胸筋力等の強化を行うことができる。
【００３９】
以上、本考案にかかる健康器具およびその使用方法を実施形態をもって説明したが、本考案の健康器具およびその使用方法は、上記した実施形態に限定されるものではなく、本考案の要旨を逸脱しない範囲内において種々変更を加え得ることは勿論である。
【産業上の利用可能性】
【００４０】
本考案の健康器具によれば、取り扱いが容易で、かつ簡便な操作で身体の各部位の整体治療、疲労回復および筋力増強に優れた効果を奏する健康器具を安価に提供することができる。
【図面の簡単な説明】
【００４１】
【図１】本考案の実施形態にかかる健康器具１の構成を示す図であり、（ａ）は平面図、（ｂ）は正面図、（ｃ）は右側面図である。
【図２】健康器具１の使用方法を説明するための概念図である。
【図３】健康器具１の他の使用方法を説明するための概念図である。
【図４】健康器具１の他の使用方法を説明するための概念図である。
【図５】健康器具１の他の使用方法を説明するための概念図である。
【図６】健康器具１の他の使用方法を説明するための概念図である。
【図７】健康器具１の他の使用方法を説明するための概念図である。
【図８】健康器具１の他の使用方法を説明するための概念図である。
【符号の説明】
【００４２】
１・・・健康器具
２・・・枠体
２１・・・繋合部
２２，２３，２４・・・当接部
２０１，２０２，２０３・・・管状体
２０４・・・接合部
３・・・ネジ
４・・・クッション材
【図１】
0003140764.tif 000003
【図２】
0003140764.tif 000004
【図３】
0003140764.tif 000005
【図４】
0003140764.tif 000006
【図５】
0003140764.tif 000007
【図６】
0003140764.tif 000008
【図７】
0003140764.tif 000009
【図８】
0003140764.tif 000010